【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
ディスプレイ装置のガンマ曲線をデジタル的に調節する方法において、
前記ディスプレイ装置用の制御器のオリジナルのガンマ曲線に対するルミナンスコードと関連する複数個の仮想タップ点の内の第１タップ点と第２タップ点を含み且つそれらの間に位置されている領域におけるルミナンスコードに対して、前記領域における前記オリジナルのガンマ曲線の線形表現に基づいて前記ルミナンスコードに対する線形スケーリング係数を決定し且つ前記ルミナンスコードに対する電圧出力を前記制御器によって前記ディスプレイ装置へ供給し、
コントラストエンハンスメントを実施する前記領域における修正ガンマ曲線の線形表現に対して前記線形スケーリング係数を適用することによって前記ルミナンスコードに対するガンマ値オフセットを決定し、
前記ガンマ値オフセットに基づいて前記ルミナンスコードに対する調節されたガンマ値であって前記ディスプレイ装置の前記制御器に対する前記修正ガンマ曲線と関連している調節されたガンマ値を決定し且つ前記電圧出力が前記ルミナンスコードに対する前記調節されたガンマ値によって決定される如くに調節される、
ことを包含している方法。
【請求項２】
請求項１において、前記複数個の仮想タップ点を画定する場合に、
前記複数個の仮想タップ点の各々を互いにルミナンスにおいて等距離離隔させる、
ことを包含している方法。
【請求項３】
請求項１において、前記複数個の仮想タップ点を画定する場合に、
前記複数個の仮想タップ点の各々を互いに電圧において等距離離隔させる、
ことを包含している方法。
【請求項４】
請求項１において、前記線形でレシオメトリックなスケーリング係数を決定する場合に、
前記第１タップ点と第２タップ点との間で前記オリジナルのガンマ曲線の前記線形表現を決定し、
前記線形でレシオメトリックなスケーリング係数を決定するために前記ルミナンスコードに対して前記領域における前記オリジナルのガンマ曲線の前記線形表現の勾配をレシオメトリックにスケーリングする、
ことを包含している方法。
【請求項５】
請求項１において、前記ガンマ値オフセットを決定する場合に、
前記第１タップ点に関連する第１修正タップ点と前記第２タップ点に関連する第２修正タップ点との間の前記修正ガンマ曲線の前記線形表現を決定し、
前記ガンマ値オフセットを決定するために前記領域における前記修正ガンマ曲線の前記線形表現の勾配に対して前記レシオメトリックなスケーリング係数を適用する、
ことを包含している方法。
【請求項６】
請求項１において、前記調節されたガンマ値を決定する場合に、
前記第１タップ点に対する前記修正ガンマ曲線上の修正タップ点に対して前記ガンマ値オフセットを付加する、
ことを包含している方法。
【請求項７】
請求項１において、更に、
前記オリジナルのガンマ曲線の前記領域におけるルミナンスコードに対して複数個の線形でレシオメトリックなスケーリング係数を決定し、且つ
前記複数個の線形でレシオメトリックなスケーリング係数を１０ビット値として格納する、
ことを包含しており、前記ガンマ曲線における前記調節されたガンマ値は１２ビット値で表されている方法。
【請求項８】
デジタル的にディスプレイ装置の曲線を調節する方法において、
前記ディスプレイ装置用の制御器のオリジナルの曲線に基づく修正曲線と関連する複数個の仮想タップ点の各々に対して調節されたタップ点を受け取り、
第１タップ点と第２タップ点とを含み且つそれらの間の前記オリジナルの曲線の一つの領域の第１線形表現の第１勾配を決定し、
前記第１タップ点と前記第２タップ点との間の複数個のコードに対して前記第１勾配をレシオメトリックにスケーリングさせて前記複数個のコードと関連する複数個の線形でレシオメトリックなスケーリング係数を決定し且つ前記各コードに対する電圧出力を前記制御器によって前記ディスプレイ装置へ供給し、
前記ディスプレイ装置の前記制御器に対する前記複数個のコードの各々に対して修正曲線と関連する調節された値を決定する場合に使用するために前記複数個の線形でレシオメトリックなスケーリング係数を格納し且つ前記電圧出力を前記各コードに対する前記修正曲線によって決定される如くに調節する、
ことを包含している方法。
【請求項９】
請求項８において、前記曲線が単調ガンマ曲線を包含しており、且つ前記複数個のコードが複数個のルミナンスコードを包含している方法。
【請求項１０】
請求項８において、前記第１勾配を決定する場合に、
前記第１タップ点と前記第２タップ点との間で前記オリジナルの曲線に対する前記領域の前記第１勾配を決定する、
ことを包含している方法。
【請求項１１】
請求項８において、更に、
前記第１タップ点に関連する第１修正タップ点と前記第２タップ点に関連する第２修正タップ点との間で前記修正曲線に対する前記領域の第２線形表現の第２勾配を決定し、
前記線形でレシオメトリックなスケーリング係数を前記第２勾配に適用して前記領域におけるコードに対する値オフセットを決定し、
前記修正曲線と関連する前記値オフセットに基づいて前記コードに対する調節された値を決定する、
ことを包含している方法。
【請求項１２】
請求項１１において、前記調節された値を決定する場合に、
前記値オフセットを前記第１タップ点へ付加する、
ことを包含している方法。
【請求項１３】
請求項９において、更に、
前記複数個の仮想タップ点の各々を互いにルミナンスコードにおいて等距離離隔させる、ことを包含している方法。
【請求項１４】
請求項９において、更に、
前記複数個の仮想タップ点の各々を互いに電圧において等距離離隔させる、ことを包含している方法。
【請求項１５】
請求項８において、更に、
前記第１線形表現に対して前記線形でレシオメトリックなスケーリング係数を適用することによってコードに対する値オフセットを決定することにより前記オリジナルの曲線の値を抽出し、且つ
前記値オフセットに基づいて前記値を決定する、
ことを包含している方法。
【請求項１６】
ガンマ曲線をデジタル的に調節するシステムにおいて、
ルミナンスコードと関連する複数個の画定した仮想タップ点を具備しているオリジナルのガンマ曲線のタップ点間の領域における複数個のルミナンスコードと関連する複数個の線形でレシオメトリックなスケーリング係数を決定するために前記領域の第１線形表現の第１勾配をレシオメトリックにスケーリングするスケーリングモジュール、
前記領域における前記複数個のルミナンスコードの各々に対して修正ガンマ曲線と関連する調節されたガンマ値を決定する場合に使用される前記複数個の線形でレシオメトリックなスケーリング係数を格納する格納モジュール、
を有しているシステム。
【請求項１７】
請求項１６において、更に、
コントラストエンハンスメントを実施する修正ガンマ曲線の前記仮想タップ点の各々に対して修正タップ点を決定するコントラスト補償モジュール、及び
前記第１タップ点と前記第２タップ点とを含み且つそれらの間の前記修正ガンマ曲線の線形表現に対して対応する線形のスケーリング係数を適用することにより前記領域におけるルミナンスコードに対するガンマ値オフセットを決定するオフセットモジュール、
を有しているシステム。
【請求項１８】
請求項１７において、前記オフセットモジュールは、前記ガンマ値オフセットに基づいて前記ルミナンスコードに対する調節されたガンマ値を決定するシステム。
【請求項１９】
請求項１６において、前記格納モジュールは、前記複数個の線形でレシオメトリックなスケーリング係数を１０ビット値として格納し、且つ前記ガンマ曲線における前記調節されたガンマ値は１２ビット値で表されるシステム。
【請求項２０】
ディスプレイ装置の曲線を調節する方法において、
前記ディスプレイ装置用の制御器のオリジナルの曲線と関連する複数個の仮想タップ点の各々の間の間隔をデジタル的に調節し、前記オリジナルの曲線が複数個のルミナンスコードを有しており、且つ前記各ルミナンスコードに対する電圧出力が前記制御器によって前記ディスプレイ装置へ供給され、且つ前記各電圧出力が前記コードに対する修正曲線によって決定される如くに調節される、
ことを包含している方法。
【請求項２１】
請求項２０において、前記曲線がガンマ曲線を包含しており、且つ前記デジタル的に調節する場合に、
前記複数個の仮想タップ点の各々をルミナンスにおいて互いに等距離離隔させる、
ことを包含している方法。
【請求項２２】
請求項２０において、前記曲線がガンマ曲線を包含しており、且つ前記デジタル的に調節する場合に、
前記複数個の仮想タップ点の各々を電圧において互いに等距離離隔させる、
ことを包含している方法。
【請求項２３】
請求項２０において、更に、
前記オリジナルの曲線の前記ルミナンスコードに関してコントラストエンハンスメントを実施する修正曲線と関連する前記複数個の仮想タップ点の各々に対して調節されたタップ点を受け取り、
第１タップ点と第２タップ点とを含み且つそれらの間の前記オリジナルの曲線の一つの領域の第１線形表現の第１勾配を決定し、
前記複数個のコードと関連する複数個の線形でレシオメトリックなスケーリング係数を決定するために前記第１タップ点と前記第２タップ点との間の複数個のコードに対して前記第１勾配をレシオメトリックにスケーリングし、
前記複数個のコードの各々に対して修正曲線と関連する調節された値を決定する場合に使用するために前記複数個の線形でレシオメトリックなスケーリング係数を格納する、
ことを包含している方法。
【請求項２４】
請求項２３において、更に、
前記第１タップ点に関連する第１修正タップ点と前記第２タップ点に関連する第２修正タップ点との間の前記修正曲線に対する前記領域の第２線形表現の第２勾配を決定し、
前記領域におけるコードに対する値オフセットを決定するために前記第２勾配に対して前記線形でレシオメトリックなスケーリング係数を適用し、且つ
前記第１タップ点に対して前記値オフセットを付加することにより前記コードに対する調節された値を決定する、
ことを包含している方法。